(57)【要約】【課題】  撮影によって記録するデジタル画像データのデータ量を効果的に削減することのできるデジタルカメラを得る。【解決手段】  デジタル信号処理部３０により、ＣＣＤ２４による撮像によって取得されたデジタル画像データにより示される被写体像における矩形状のワイド部領域を示すデジタル画像データに対して所定の画像処理（高域カットフィルタによるフィルタリング処理）を施すと共に、前記被写体像における他部領域を示すデジタル画像データに対して前記所定の画像処理より当該デジタル画像データに圧縮処理を施した際の圧縮率が高くなる画像処理を施し、これらの画像処理が施された前記デジタル画像データに対して圧縮・伸張処理回路５４により圧縮処理を施した後、当該デジタル画像データをメモリカード５２に記録する。【選択図】        図２
2005260735.tif 000002
【特許請求の範囲】
【請求項１】
撮像によって被写体像を示すデジタル画像データを取得する撮像手段と、
前記被写体像における矩形状の一部領域を示すデジタル画像データに対して所定の画像処理を施すと共に、前記被写体像における他部領域を示すデジタル画像データに対して前記所定の画像処理より当該デジタル画像データに圧縮処理を施した際の圧縮率が高くなる画像処理を施す画像処理手段と、
前記画像処理手段によって画像処理が施された前記デジタル画像データに対して圧縮処理を施す圧縮手段と、
前記圧縮手段によって圧縮処理が施された前記デジタル画像データを記録媒体に記録する記録手段と、
を備えたデジタルカメラ。
【請求項２】
撮像によって被写体像を示すデジタル画像データを取得する撮像手段と、
前記被写体像における矩形状の一部領域を示すデジタル画像データに対して所定の圧縮処理を施すと共に、前記被写体像における他部領域を示すデジタル画像データに対して前記所定の圧縮処理より圧縮率が高い圧縮処理を施す圧縮手段と、
前記圧縮手段によって圧縮処理が施された前記デジタル画像データを記録媒体に記録する記録手段と、
を備えたデジタルカメラ。
【請求項３】
前記記録手段は、前記一部領域を示し、かつ前記圧縮手段によって圧縮処理が施されたデジタル画像データと、前記他部領域を示し、かつ前記圧縮手段によって圧縮処理が施されたデジタル画像データと、を分別可能に前記記録媒体に記録する
請求項２記載のデジタルカメラ。
【請求項４】
前記記録手段は、前記一部領域を示し、かつ前記圧縮手段によって圧縮処理が施されたデジタル画像データと、前記他部領域を示し、かつ前記圧縮手段によって圧縮処理が施されたデジタル画像データと、を前記記録媒体の異なる領域に記録することにより分別可能に当該記録媒体に記録する
請求項３記載のデジタルカメラ。
【請求項５】
撮像によって被写体像を示すデジタル画像データを取得する撮像手段と、
前記デジタル画像データのうちの前記被写体像における矩形状の一部領域を除いた他部領域を示すデジタル画像データに対して解像度を低減させる解像度変換処理を施す解像度変換手段と、
前記一部領域を示すデジタル画像データ及び前記解像度変換手段により解像度変換処理が施された前記他部領域を示すデジタル画像データに対して所定の圧縮処理を施す圧縮手段と、
前記圧縮手段によって圧縮処理が施されたデジタル画像データを記録媒体に記録する記録手段と、
を備えたデジタルカメラ。
【請求項６】
前記記録手段は、前記一部領域を示し、かつ前記圧縮手段によって圧縮処理が施されたデジタル画像データと、前記他部領域を示し、かつ前記解像度変換手段によって解像度変換処理が施された後に前記圧縮手段によって圧縮処理が施されたデジタル画像データと、を分別可能に前記記録媒体に記録する
請求項５記載のデジタルカメラ。
【請求項７】
前記記録手段は、前記一部領域を示し、かつ前記圧縮手段によって圧縮処理が施されたデジタル画像データと、前記他部領域を示し、かつ前記解像度変換手段によって解像度変換処理が施された後に前記圧縮手段によって圧縮処理が施されたデジタル画像データと、を前記記録媒体の異なる領域に記録することにより分別可能に当該記録媒体に記録する
請求項６記載のデジタルカメラ。
【請求項８】
前記記録媒体に記録されたデジタル画像データに伸張処理を施す伸張手段と、
前記伸張手段によって伸張処理が施された前記一部領域を示すデジタル画像データの解像度を前記伸張手段によって伸張処理が施された前記他部領域を示すデジタル画像データの解像度と等しくなるように低減させる解像度低減手段と、
前記伸張手段によって伸張処理が施された前記他部領域を示すデジタル画像データと、前記伸張手段によって伸張処理が施された後に前記解像度低減手段によって解像度が低減された前記一部領域を示すデジタル画像データとを結合して１枚の被写体像を復元する画像結合手段と、
を更に備えた請求項５乃至請求項７の何れか１項記載のデジタルカメラ。
【請求項９】
前記記録媒体に記録されたデジタル画像データに伸張処理を施す伸張手段と、
前記伸張手段によって伸張処理が施された前記他部領域を示すデジタル画像データの解像度を前記伸張手段によって伸張処理が施された前記一部領域を示すデジタル画像データの解像度と等しくなるように増加させる解像度増加手段と、
前記伸張手段によって伸張処理が施された前記一部領域を示すデジタル画像データと、前記伸張手段によって伸張処理が施された後に前記解像度増加手段によって解像度が増加された前記他部領域を示すデジタル画像データとを結合して１枚の被写体像を復元する画像結合手段と、
を更に備えた請求項５乃至請求項７の何れか１項記載のデジタルカメラ。
【請求項１０】
前記被写体像を、アスペクト比が４：３の矩形状の画像とし、前記矩形状の一部領域を、アスペクト比が１６：９の領域とした
請求項１乃至請求項９の何れか１項記載のデジタルカメラ。
【発明の詳細な説明】
【技術分野】
【０００１】
本発明は、デジタルカメラに関し、特に、撮像によって得られたデジタル画像データを、圧縮処理を施した後に記録するデジタルカメラに関する。
【背景技術】
【０００２】
近年、デジタルカメラの普及速度には目を見張るものがあり、年間出荷台数も銀塩カメラを上回るほどになっている。
【０００３】
ところで、従来のデジタルカメラでは、通常、ＣＣＤ、ＣＭＯＳイメージ・センサ等の撮像素子による撮像画像（被写体像）のアスペクト比は４：３とされている。これは、従来のテレビジョン受像機や、デジタルカメラに被写体像のモニター用として設けられている液晶ディスプレイ等の表示装置における表示領域のアスペクト比が４：３であることに対応したものである。
【０００４】
その一方で、近年、表示領域のアスペクト比が１６：９（所謂ワイドサイズ）とされたテレビジョン受像機の普及が進んでおり、デジタルカメラによる撮影によって記録される被写体像も、アスペクト比が４：３となる撮像素子を用いて撮像された被写体像を、アスペクト比が１６：９とされた状態で記録することもできるデジタルカメラが要望されている。
【０００５】
一方、近年、撮像素子の画素数は急激に増加しており、１被写体像分のデジタル画像データのデータ量は膨大なものとなっている。従って、デジタルカメラにより撮影によって得られたデジタル画像データを記録する際には、当該デジタル画像データを圧縮することが必須条件となりつつある。
【０００６】
以上のような実情を背景に、従来、あるアスペクト比の画像を表すデジタル画像データから他のアスペクト比の画像を表すデジタル画像データに変換する場合に、効率よく画像データ圧縮を施すことを目的として、被写体を撮像して被写体像を表す標準画像データを得、当該標準画像データによって表される標準画像がワイド表示画像となる部分を残すように、標準画像の上下の少なくとも一方の部分において、縦方向にデータ圧縮のための単位ブロックの整数倍の長さの範囲の画像データのレベルを一定レベルに固定し、当該一定レベルに固定された画像データ、及び上記標準画像から上記ワイド表示画像として残る部分を表す画像データについて、圧縮後の一画面分のデータ量が予め定められたデータ量となるように上記単位ブロック毎にデータ圧縮を施し、データ圧縮された画像データを記録媒体に記録する技術があった（例えば、特許文献１参照。）。
【０００７】
この技術によれば、画像データ・レベルを固定した部分については高い圧縮が可能であるため、結果的に有効な画像部分については低い圧縮で済み、高画質の画像を得ることができる。
【特許文献１】特開平８−２９４０９０号公報
【発明の開示】
【発明が解決しようとする課題】
【０００８】
ところで、上述した従来の技術では、ワイド表示画像の領域に対応するデジタル画像データのみが利用されることとなるが、当該ワイド表示領域を除く領域に対応するデジタル画像データも記録しておくことにより、これを有効活用することも考えられる。なお、当該有効活用の例としては、撮影によって得られたアスペクト比が１６：９とされた被写体像の上端部及び下端部の少なくとも一方において所望の被写体部分が切れてしまっていた場合に、当該切れてしまった部分を復元するために利用する形態を例示することができる。
【０００９】
しかしながら、この場合、撮像素子によって取得された全てのデジタル画像データを記録しておく必要があり、上述した従来の技術を含め、アスペクト比が１６：９とされた一部領域に対応するデジタル画像データのみを記録しておく場合に比較して、記録のためのメモリ容量が大幅に増加してしまう、という問題点が生じることになる。
【００１０】
本発明は上記問題点を解決するためになされたものであり、撮影によって記録するデジタル画像データのデータ量を効果的に削減することのできるデジタルカメラを提供することを目的とする。
【課題を解決するための手段】
【００１１】
上記目的を達成するために、請求項１記載のデジタルカメラは、撮像によって被写体像を示すデジタル画像データを取得する撮像手段と、前記被写体像における矩形状の一部領域を示すデジタル画像データに対して所定の画像処理を施すと共に、前記被写体像における他部領域を示すデジタル画像データに対して前記所定の画像処理より当該デジタル画像データに圧縮処理を施した際の圧縮率が高くなる画像処理を施す画像処理手段と、前記画像処理手段によって画像処理が施された前記デジタル画像データに対して圧縮処理を施す圧縮手段と、前記圧縮手段によって圧縮処理が施された前記デジタル画像データを記録媒体に記録する記録手段と、を備えている。
【００１２】
請求項１に記載のデジタルカメラによれば、撮像手段による撮像によって被写体像を示すデジタル画像データが取得される。なお、上記撮像手段には、ＣＣＤ、ＣＭＯＳイメージセンサ等の固体撮像素子が含まれる。
【００１３】
ここで、本発明のデジタルカメラでは、画像処理手段により、前記被写体像における矩形状の一部領域を示すデジタル画像データに対して所定の画像処理が施されると共に、前記被写体像における他部領域、すなわち、前記被写体像における前記一部領域を除く領域を示すデジタル画像データに対して前記所定の画像処理より当該デジタル画像データに圧縮処理を施した際の圧縮率が高くなる画像処理が施される。
【００１４】
そして、本発明では、前記画像処理手段によって画像処理が施された前記デジタル画像データに対して圧縮手段によって圧縮処理が施され、当該圧縮処理が施された前記デジタル画像データが記録手段によって記録媒体に記録される。なお、上記圧縮手段による圧縮形式には、ＪＰＥＧ形式、ＭＰＥＧ形式、ＭＨ形式、ＭＲ形式、ＭＭＲ形式等の各種画像圧縮形式が含まれる。また、上記記録媒体には、ＥＥＰＲＯＭ（Electrically Erasable and Programmable ROM）、フラッシュメモリ等の半導体記憶素子や、スマート・メディア（SmartMedia(R)）、ｘＤピクチャーカード（xD-Picture Card）、コンパクト・フラッシュ（CompactFlash）、ＡＴＡ（AT Attachment）カード、マイクロドライブ、フロッピィディスク、ＣＤ−Ｒ（Compact Disc-Recordable）、ＣＤ−ＲＷ（Compact Disc-ReWritable）、光磁気ディスク等の可搬型記録媒体が含まれる。
【００１５】
このように、請求項１に記載のデジタルカメラによれば、撮像手段による撮像によって取得されたデジタル画像データにより示される被写体像における矩形状の一部領域を示すデジタル画像データに対して所定の画像処理を施すと共に、前記被写体像における他部領域を示すデジタル画像データに対して前記所定の画像処理より当該デジタル画像データに圧縮処理を施した際の圧縮率が高くなる画像処理を施し、これらの画像処理が施された前記デジタル画像データに対して圧縮処理を施した後、当該デジタル画像データを記録媒体に記録しているので、他部領域を示すデジタル画像データに対する圧縮率を、一部領域を示すデジタル画像データに対する圧縮率に比較して高くすることができ、前記一部領域における被写体像に対する画質の低下を抑制しつつ、デジタル画像データ全体としてのデータ量を効果的に削減することができる。
【００１６】
一方、上記目的を達成するために、請求項２記載のデジタルカメラは、撮像によって被写体像を示すデジタル画像データを取得する撮像手段と、前記被写体像における矩形状の一部領域を示すデジタル画像データに対して所定の圧縮処理を施すと共に、前記被写体像における他部領域を示すデジタル画像データに対して前記所定の圧縮処理より圧縮率が高い圧縮処理を施す圧縮手段と、前記圧縮手段によって圧縮処理が施された前記デジタル画像データを記録媒体に記録する記録手段と、を備えている。
【００１７】
請求項２に記載のデジタルカメラによれば、撮像手段による撮像によって被写体像を示すデジタル画像データが取得される。なお、上記撮像手段には、ＣＣＤ、ＣＭＯＳイメージセンサ等の固体撮像素子が含まれる。
【００１８】
ここで、本発明のデジタルカメラでは、圧縮手段により、前記被写体像における矩形状の一部領域を示すデジタル画像データに対して所定の圧縮処理が施されると共に、前記被写体像における他部領域、すなわち、前記被写体像における前記一部領域を除く領域を示すデジタル画像データに対して前記所定の圧縮処理より圧縮率が高い圧縮処理が施され、これらの圧縮処理が施されたデジタル画像データが記録手段によって記録媒体に記録される。なお、上記圧縮手段による圧縮形式には、ＪＰＥＧ形式、ＭＰＥＧ形式等の圧縮率が可変とされた各種画像圧縮形式が含まれる。また、上記記録媒体には、ＥＥＰＲＯＭ、フラッシュメモリ等の半導体記憶素子や、スマート・メディア、ｘＤピクチャーカード、コンパクト・フラッシュ、ＡＴＡカード、マイクロドライブ、フロッピィディスク、ＣＤ−Ｒ、ＣＤ−ＲＷ、光磁気ディスク等の可搬型記録媒体が含まれる。
【００１９】
このように、請求項２に記載のデジタルカメラによれば、撮像手段による撮像によって取得されたデジタル画像データにより示される被写体像における矩形状の一部領域を示すデジタル画像データに対して所定の圧縮処理を施すと共に、前記被写体像における他部領域を示すデジタル画像データに対して前記所定の圧縮処理より圧縮率が高い圧縮処理を施し、これらの圧縮処理が施された前記デジタル画像データを記録媒体に記録しているので、前記一部領域における被写体像に対する画質の低下を抑制しつつ、デジタル画像データ全体としてのデータ量を効果的に削減することができる。
【００２０】
なお、請求項２に記載の発明の前記記録手段は、請求項３に記載の発明のように、前記一部領域を示し、かつ前記圧縮手段によって圧縮処理が施されたデジタル画像データと、前記他部領域を示し、かつ前記圧縮手段によって圧縮処理が施されたデジタル画像データと、を分別可能に前記記録媒体に記録することが好ましい。これによって、前記一部領域を示すデジタル画像データ、及び前記他部領域を示すデジタル画像データの何れか一方を選択的に記録媒体から容易に読み出すことができ、当該何れか一方のデジタル画像データを用いた処理や、当該何れか一方のデジタル画像データに対する処理等を容易に行うことができる。
【００２１】
特に、請求項３に記載の発明の前記記録手段は、請求項４に記載の発明のように、前記一部領域を示し、かつ前記圧縮手段によって圧縮処理が施されたデジタル画像データと、前記他部領域を示し、かつ前記圧縮手段によって圧縮処理が施されたデジタル画像データと、を前記記録媒体の異なる領域に記録することにより分別可能に当該記録媒体に記録することが好ましい。この記録は、デジタル画像データに対する特殊な処理等を伴うことなく実行することができるので、本発明を容易に実現することができる。
【００２２】
一方、上記目的を達成するために、請求項５記載のデジタルカメラは、撮像によって被写体像を示すデジタル画像データを取得する撮像手段と、前記デジタル画像データのうちの前記被写体像における矩形状の一部領域を除いた他部領域を示すデジタル画像データに対して解像度を低減させる解像度変換処理を施す解像度変換手段と、前記一部領域を示すデジタル画像データ及び前記解像度変換手段により解像度変換処理が施された前記他部領域を示すデジタル画像データに対して所定の圧縮処理を施す圧縮手段と、前記圧縮手段によって圧縮処理が施されたデジタル画像データを記録媒体に記録する記録手段と、を備えている。
【００２３】
請求項５に記載のデジタルカメラによれば、撮像手段による撮像によって被写体像を示すデジタル画像データが取得される。なお、上記撮像手段には、ＣＣＤ、ＣＭＯＳイメージセンサ等の固体撮像素子が含まれる。
【００２４】
ここで、本発明のデジタルカメラでは、解像度変換手段により、前記デジタル画像データのうちの前記被写体像における矩形状の一部領域を除いた他部領域を示すデジタル画像データに対して解像度を低減させる解像度変換処理が施される。
【００２５】
そして、本発明では、前記一部領域を示すデジタル画像データ及び前記解像度変換手段により解像度変換処理が施された前記他部領域を示すデジタル画像データに対して圧縮手段によって所定の圧縮処理が施され、当該圧縮処理が施されたデジタル画像データが記録手段によって記録媒体に記録される。なお、上記圧縮手段による圧縮形式には、ＪＰＥＧ形式、ＭＰＥＧ形式、ＭＨ形式、ＭＲ形式、ＭＭＲ形式等の各種画像圧縮形式が含まれる。また、上記記録媒体には、ＥＥＰＲＯＭ、フラッシュメモリ等の半導体記憶素子や、スマート・メディア、ｘＤピクチャーカード、コンパクト・フラッシュ、ＡＴＡカード、マイクロドライブ、フロッピィディスク、ＣＤ−Ｒ、ＣＤ−ＲＷ、光磁気ディスク等の可搬型記録媒体が含まれる。
【００２６】
このように、請求項５に記載のデジタルカメラによれば、撮像手段による撮像によって取得されたデジタル画像データにより示される被写体像における矩形状の一部領域を除いた他部領域を示すデジタル画像データに対して解像度を低減させる解像度変換処理を施し、前記一部領域を示すデジタル画像データ及び前記解像度変換処理が施された前記他部領域を示すデジタル画像データに対して所定の圧縮処理を施した後、これらの圧縮処理が施されたデジタル画像データを記録媒体に記録しているので、他部領域を示す圧縮処理後のデジタル画像データのデータ量を、解像度を低減させずに圧縮処理する場合に比較して低減することができ、前記一部領域における被写体像に対する画質の低下を抑制しつつ、デジタル画像データ全体としてのデータ量を効果的に削減することができる。
【００２７】
なお、請求項５に記載の発明の前記記録手段は、請求項６に記載の発明のように、前記一部領域を示し、かつ前記圧縮手段によって圧縮処理が施されたデジタル画像データと、前記他部領域を示し、かつ前記解像度変換手段によって解像度変換処理が施された後に前記圧縮手段によって圧縮処理が施されたデジタル画像データと、を分別可能に前記記録媒体に記録することが好ましい。これによって、前記一部領域を示すデジタル画像データ、及び前記他部領域を示すデジタル画像データの何れか一方を選択的に記録媒体から容易に読み出すことができ、当該何れか一方のデジタル画像データを用いた処理や、当該何れか一方のデジタル画像データに対する処理等を容易に行うことができる。
【００２８】
特に、請求項６に記載の発明の前記記録手段は、請求項７に記載の発明のように、前記一部領域を示し、かつ前記圧縮手段によって圧縮処理が施されたデジタル画像データと、前記他部領域を示し、かつ前記解像度変換手段によって解像度変換処理が施された後に前記圧縮手段によって圧縮処理が施されたデジタル画像データと、を前記記録媒体の異なる領域に記録することにより分別可能に当該記録媒体に記録することが好ましい。この記録は、デジタル画像データに対する特殊な処理等を伴うことなく実行することができるので、本発明を容易に実現することができる。
【００２９】
また、請求項５乃至請求項７の何れか１項記載の発明は、請求項８に記載の発明のように、前記記録媒体に記録されたデジタル画像データに伸張処理を施す伸張手段と、前記伸張手段によって伸張処理が施された前記一部領域を示すデジタル画像データの解像度を前記伸張手段によって伸張処理が施された前記他部領域を示すデジタル画像データの解像度と等しくなるように低減させる解像度低減手段と、前記伸張手段によって伸張処理が施された前記他部領域を示すデジタル画像データと、前記伸張手段によって伸張処理が施された後に前記解像度低減手段によって解像度が低減された前記一部領域を示すデジタル画像データとを結合して１枚の被写体像を復元する画像結合手段と、を更に備えることが好ましい。これによって、解像度が低減された後に圧縮処理が施された前記他部領域を示すデジタル画像データと、解像度が低減されることなく圧縮処理が施された前記一部領域を示すデジタル画像データとにより、各デジタル画像データ間で画像サイズに矛盾を生じることなく被写体像を復元することができる。
【００３０】
また、請求項５乃至請求項７の何れか１項記載の発明は、請求項９に記載の発明のように、前記記録媒体に記録されたデジタル画像データに伸張処理を施す伸張手段と、前記伸張手段によって伸張処理が施された前記他部領域を示すデジタル画像データの解像度を前記伸張手段によって伸張処理が施された前記一部領域を示すデジタル画像データの解像度と等しくなるように増加させる解像度増加手段と、前記伸張手段によって伸張処理が施された前記一部領域を示すデジタル画像データと、前記伸張手段によって伸張処理が施された後に前記解像度増加手段によって解像度が増加された前記他部領域を示すデジタル画像データとを結合して１枚の被写体像を復元する画像結合手段と、を更に備えることが好ましい。これによっても、解像度が低減された後に圧縮処理が施された前記他部領域を示すデジタル画像データと、解像度が低減されることなく圧縮処理が施された前記一部領域を示すデジタル画像データとにより、各デジタル画像データ間で画像サイズに矛盾を生じることなく被写体像を復元することができる。
【００３１】
更に、請求項１乃至請求項９の何れか１項記載の発明は、請求項１０に記載の発明のように、前記被写体像を、アスペクト比が４：３の矩形状の画像とし、前記矩形状の一部領域を、アスペクト比が１６：９の領域とすることが好ましい。これによって、現在の撮像手段の主流とされている、撮像された被写体像のアスペクト比が４：３とされた撮像手段と、今後の表示装置の主流となりつつある表示領域がワイドサイズとされた表示装置と、に対応させて本発明を実現することができる。
【発明の効果】
【００３２】
請求項１に係るデジタルカメラによれば、撮像手段による撮像によって取得されたデジタル画像データにより示される被写体像における矩形状の一部領域を示すデジタル画像データに対して所定の画像処理を施すと共に、前記被写体像における他部領域を示すデジタル画像データに対して前記所定の画像処理より当該デジタル画像データに圧縮処理を施した際の圧縮率が高くなる画像処理を施し、これらの画像処理が施された前記デジタル画像データに対して圧縮処理を施した後、当該デジタル画像データを記録媒体に記録しているので、他部領域を示すデジタル画像データに対する圧縮率を、一部領域を示すデジタル画像データに対する圧縮率に比較して高くすることができ、前記一部領域における被写体像に対する画質の低下を抑制しつつ、デジタル画像データ全体としてのデータ量を効果的に削減することができる、という効果が得られる。
【００３３】
また、請求項２乃至請求項４の何れか１項に係るデジタルカメラによれば、撮像手段による撮像によって取得されたデジタル画像データにより示される被写体像における矩形状の一部領域を示すデジタル画像データに対して所定の圧縮処理を施すと共に、前記被写体像における他部領域を示すデジタル画像データに対して前記所定の圧縮処理より圧縮率が高い圧縮処理を施し、これらの圧縮処理が施された前記デジタル画像データを記録媒体に記録しているので、前記一部領域における被写体像に対する画質の低下を抑制しつつ、デジタル画像データ全体としてのデータ量を効果的に削減することができる、という効果が得られる。
【００３４】
更に、請求項５乃至請求項９の何れか１項に係るデジタルカメラによれば、撮像手段による撮像によって取得されたデジタル画像データにより示される被写体像における矩形状の一部領域を除いた他部領域を示すデジタル画像データに対して解像度を低減させる解像度変換処理を施し、前記一部領域を示すデジタル画像データ及び前記解像度変換処理が施された前記他部領域を示すデジタル画像データに対して所定の圧縮処理を施した後、これらの圧縮処理が施されたデジタル画像データを記録媒体に記録しているので、他部領域を示す圧縮処理後のデジタル画像データのデータ量を、解像度を低減させずに圧縮処理する場合に比較して低減することができ、前記一部領域における被写体像に対する画質の低下を抑制しつつ、デジタル画像データ全体としてのデータ量を効果的に削減することができる、という効果が得られる。
【発明を実施するための最良の形態】
【００３５】
以下、図面を参照して、本発明の実施の形態について詳細に説明する。
【００３６】
〔第１の実施の形態〕
まず、図１を参照して、本実施の形態に係るデジタルカメラ１０の外観上の構成を説明する。
【００３７】
同図に示すように、デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００３８】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３９】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００４０】
また、モード切替スイッチ５６Ｃは、撮影を行うモードである撮影モード及び被写体像を後述するＬＣＤ３８に再生するモードである再生モードの何れかのモードに設定する際に回転操作される。
【００４１】
一方、デジタルカメラ１０の背面には、前述のファインダ２０の接眼部と、撮影された被写体像やメニュー画面等を表示するための液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。また、本実施の形態に係るデジタルカメラ１０では、ＬＣＤ３８として、表示領域のアスペクト比が１６：９とされた所謂ワイドサイズのものが適用されている。
【００４２】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、ストロボ４４の発光状態を設定するときに押圧操作されるストロボスイッチと、マクロ撮影を行うときに押圧操作されるマクロ撮影スイッチと、が備えられている。
【００４３】
次に、図２を参照して、本実施の形態に係るデジタルカメラ１０の電気系の主要構成を説明する。
【００４４】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００４５】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００４６】
なお、デジタル信号処理部３０は、所定容量のラインバッファを内蔵し、入力されたデジタルデータを後述するメモリ４８の所定領域に直接記憶させる制御も行う。また、本実施の形態に係るデジタル信号処理部３０は、デジタル画像データにおける輝度信号に対して空間周波数における高周波成分を低減させるためのフィルタであり、当該低減の度合いが所定領域毎に設定可能に構成された高域カットフィルタが内蔵されている。
【００４７】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００４８】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を一時的に記憶するメモリ４８と、メモリ４８に対するアクセスの制御を行うメモリインタフェース４６と、を含んで構成されている。
【００４９】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００５０】
なお、本実施の形態のデジタルカメラ１０では、メモリ４８としてＶＲＡＭ（Video RAM）が用いられ、メモリカード５２としてスマートメディア（Smart Media(R)）が用いられている。
【００５１】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６及び外部メモリインタフェース５０を介したアクセスを各々行うことができる。
【００５２】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００５３】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００５４】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００５５】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００５６】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００５７】
なお、本実施の形態に係るデジタルカメラ１０はＥｘｉｆ（Exchangeable Image File Format）規格に対応しており、撮影によって得られたデジタル画像データはＥｘｉｆ規格の電子化ファイル（画像ファイル）としてメモリカード５２に記録される。
【００５８】
このように、本実施の形態に係るデジタルカメラ１０はＥｘｉｆ規格に対応しているため、図３に模式的に示すように、撮影により得られてメモリカード５２に記録される電子化ファイル６０には、スタートコード領域６０Ａ、タグ領域６０Ｂ、サムネイル画像領域６０Ｃ、及び主画像領域６０Ｄが含まれている。
【００５９】
次に、本実施の形態に係るデジタルカメラ１０の撮影時における全体的な動作について簡単に説明する。
【００６０】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００６１】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００６２】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって８ビットのデジタル画像データを生成する。
【００６３】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、輝度信号Ｙに対して前述した高域カットフィルタにより空間周波数における高周波成分を予め定められた度合いで低減させるフィルタリング処理を施した後、ＹＣ信号をメモリ４８の上記所定領域とは異なる領域に格納する。
【００６４】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００６５】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００６６】
ところで、本実施の形態に係るデジタルカメラ１０では、メニュースイッチを押圧操作することによってＬＣＤ３８に表示されるメニュー画面上で、撮像された被写体像のアスペクト比を１６：９及び４：３の何れか一方に選択的に設定することができる。そして、デジタルカメラ１０は、撮影モード実行時には、設定されたアスペクト比の被写体像がＬＣＤ３８にスルー画像として表示可能とされている。
【００６７】
ここで、本実施の形態に係るデジタルカメラ１０では、ＣＣＤ２４として撮像された被写体像のアスペクト比が４：３となるものが適用されており、ユーザにより被写体像のアスペクト比として１６：９が設定されている場合には、レリーズスイッチ５６Ａが全押し状態とされた際に、ＣＣＤ２４による撮像によって得られたデジタル画像データにより示される被写体像において、上下方向中央部におけるアスペクト比が１６：９となる領域（以下、「ワイド部領域」という。）が、他の領域（以下、「他部領域」という。）と区別された状態でデジタル画像データが電子化ファイルとしてメモリカード５２に記録されることになる。なお、ユーザにより被写体像のアスペクト比として４：３が設定されている場合には、ワイド部領域及び他部領域を区別することなくデジタル画像データが電子化ファイルとしてメモリカード５２に記録される。
【００６８】
次に、本発明に特に関係する、被写体像のアスペクト比として１６：９が設定されている場合におけるデジタルカメラ１０の被写体像の記録に関する処理動作について、図４を参照しつつ詳細に説明する。なお、図４は、レリーズスイッチ５６Ａが全押し状態とされたときにＣＰＵ４０によって実行される画像記録処理プログラムの処理の流れを示すフローチャートである。
【００６９】
同図のステップ１００では、デジタル信号処理部３０に対して、内蔵された高域カットフィルタの空間周波数における高周波成分の低減の度合いとして、ワイド部領域に対応する輝度信号Ｙに対する度合いより、他部領域に対応する輝度信号Ｙに対する度合いの方が高くなるように設定する。なお、ここで、ワイド部領域に対応する輝度信号Ｙに対する度合いを、被写体像のアスペクト比として４：３が設定されている場合と同一の度合い（以下、「通常度合い」という。）とする。
【００７０】
本ステップ１００の処理により、これ以降、ＣＣＤ２４による撮像によって得られたデジタル画像データが一例として図５（Ａ）に示すように２０４８画素×１５３６画素のものである場合、図５（Ｂ）に示すように、このうちの上下方向中央部に位置される２０４８画素×１１５２画素の領域Ｂが１６：９のアスペクト比とされたワイド部領域として通常度合いにて高周波成分を低減するフィルタリング処理が施され、他部領域Ａ及び他部領域Ｃについては通常度合いより高い度合いにて高周波成分を低減するフィルタリング処理が施されることになる。
【００７１】
次のステップ１０２では、上記ステップ１００における設定が反映されたデジタル画像データ（ＹＣ信号）のメモリ４８への格納待ちを行う。
【００７２】
次のステップ１０４では、この時点でメモり４８に格納されているデジタル画像データを所定の圧縮形式（ＪＰＥＧ形式）で圧縮するように圧縮・伸張処理回路５４を制御し、次のステップ１０６にて、圧縮・伸張処理回路５４により圧縮処理が施されたデジタル画像データをメモリカード５２にＥｘｉｆフォーマットの電子化ファイルとして記録させる制御を行った後、本画像記録処理プログラムを終了する。
【００７３】
本画像記録処理プログラムにより、他部領域Ａ及び他部領域Ｃに対応するデジタル画像データの高周波成分がワイド部領域Ｂに対応するデジタル画像データに比較して低減されるため、他部領域Ａ、Ｃに対する圧縮・伸張処理回路５４による圧縮率を、ワイド部領域Ｂに対応するデジタル画像データに対する圧縮率に比較して高くすることができ、この結果として、ワイド部領域の画像に対する画質の低下を招くことなく、デジタル画像データ全体としてのデータ量を効果的に削減することができる。
【００７４】
以上詳細に説明したように、本実施の形態によれば、撮像手段（ここでは、ＣＣＤ２４）による撮像によって取得されたデジタル画像データにより示される被写体像における矩形状の一部領域（ここでは、ワイド部領域）を示すデジタル画像データに対して所定の画像処理（ここでは、高域カットフィルタによるフィルタリング処理）を施すと共に、前記被写体像における他部領域を示すデジタル画像データに対して前記所定の画像処理より当該デジタル画像データに圧縮処理を施した際の圧縮率が高くなる画像処理を施し、これらの画像処理が施された前記デジタル画像データに対して圧縮処理を施した後、当該デジタル画像データを記録媒体（ここでは、メモリカード５２）に記録しているので、他部領域を示すデジタル画像データに対する圧縮率を、一部領域を示すデジタル画像データに対する圧縮率に比較して高くすることができ、前記一部領域における被写体像に対する画質の低下を抑制しつつ、デジタル画像データ全体としてのデータ量を効果的に削減することができる。
【００７５】
なお、本実施の形態では、高域カットフィルタにおける高周波成分の低減の度合いを変えることにより、ワイド部領域と他部領域の圧縮率を変える場合について説明したが、本発明はこれに限定されるものではなく、例えば、高域カットフィルタを作動させるか否かによりワイド部領域と他部領域の圧縮率を変える形態とすることもできる。この場合も、本実施の形態と同様の効果を奏することができる。
【００７６】
また、本実施の形態では、本発明の画像処理として高域カットフィルタによるフィルタリング処理を適用した場合について説明したが、本発明はこれに限定されるものではなく、結果的に他部領域の圧縮率をワイド部領域の圧縮率に比較して高くすることができる画像処理であれば如何なるものも適用することができる。
【００７７】
〔第２の実施の形態〕
本第２の実施の形態では、ワイド部領域の画像に対する画像圧縮の圧縮率に比較して、他部領域の画像に対する圧縮率を高くする場合の形態例について説明する。なお、本第２の実施の形態に係るデジタルカメラの構成は、圧縮・伸張処理回路５４が、デジタル画像データ（ＹＣ信号）に対する圧縮率が所定領域毎に設定可能に構成されている点を除いて上記第１の実施の形態に係るデジタルカメラ１０（図１及び図２参照。）と同様であるので、ここでの説明は省略する。
【００７８】
以下、本発明に特に関係する、被写体像のアスペクト比として１６：９が設定されている場合におけるデジタルカメラ１０の被写体像の記録に関する処理動作について、図６を参照しつつ詳細に説明する。なお、図６は、レリーズスイッチ５６Ａが全押し状態とされたときにＣＰＵ４０によって実行される画像記録処理プログラムの処理の流れを示すフローチャートである。
【００７９】
同図のステップ２００では、この時点でメモり４８に格納されているデジタル画像データのワイド部領域に対応するデータを所定の圧縮形式（ＪＰＥＧ形式）で、かつ所定の圧縮率で圧縮するように圧縮・伸張処理回路５４を制御し、次のステップ２０２では、この時点でメモり４８に格納されているデジタル画像データの他部領域に対応するデータを所定の圧縮形式で、かつ上記所定の圧縮率より高い圧縮率で圧縮するように圧縮・伸張処理回路５４を制御する。なお、ここで、ワイド部領域に対応するデータの圧縮率を、被写体像のアスペクト比として４：３が設定されている場合と同一の圧縮率（以下、「通常圧縮率」という。）とする。
【００８０】
以上の処理により、ＣＣＤ２４による撮像によって得られたデジタル画像データが一例として図７（Ａ）に示すように２０４８画素×１５３６画素のものである場合、図７（Ｂ）に示すように、このうちの上下方向中央部に位置される２０４８画素×１１５２画素の領域Ｂが１６：９のアスペクト比とされたワイド部領域として通常圧縮率にて圧縮される圧縮処理が施され、他部領域Ａ及び他部領域Ｃについては通常圧縮率より高い圧縮率にて圧縮処理が施されることになる。
【００８１】
次のステップ２０４では、上記ステップ２００の処理によって圧縮処理が施されたワイド部領域に対応するデジタル画像データをＥｘｉｆフォーマットの電子化ファイルとして主画像領域６０Ｄに記録し、次のステップ２０６では、上記ステップ２０２の処理によって圧縮処理が施された他部領域に対応するデジタル画像データを上記電子化ファイルのタグ領域６０Ｂに記録して、その後に本画像記録処理プログラムを終了する。
【００８２】
本画像記録処理プログラムにより、他部領域Ａ及び他部領域Ｃに対する圧縮・伸張処理回路５４による圧縮率を、ワイド部領域Ｂに対応するデジタル画像データに対する圧縮率に比較して高くすることができ、この結果として、ワイド部領域の画像に対する画質の低下を招くことなく、デジタル画像データ全体としてのデータ量を効果的に削減することができる。
【００８３】
以上詳細に説明したように、本実施の形態によれば、撮像手段（ここでは、ＣＣＤ２４）による撮像によって取得されたデジタル画像データにより示される被写体像における矩形状の一部領域（ここでは、ワイド部領域）を示すデジタル画像データに対して所定の圧縮処理を施すと共に、前記被写体像における他部領域を示すデジタル画像データに対して前記所定の圧縮処理より圧縮率が高い圧縮処理を施し、これらの圧縮処理が施された前記デジタル画像データを記録媒体（ここでは、メモリカード５２）に記録しているので、前記一部領域における被写体像に対する画質の低下を抑制しつつ、デジタル画像データ全体としてのデータ量を効果的に削減することができる。
【００８４】
また、本実施の形態によれば、前記一部領域を示し、かつ圧縮処理が施されたデジタル画像データと、前記他部領域を示し、かつ圧縮処理が施されたデジタル画像データと、を分別可能に前記記録媒体に記録しているので、前記一部領域を示すデジタル画像データ、及び前記他部領域を示すデジタル画像データの何れか一方を選択的に記録媒体から容易に読み出すことができ、当該何れか一方のデジタル画像データを用いた処理や、当該何れか一方のデジタル画像データに対する処理等を容易に行うことができる。
【００８５】
更に、本実施の形態によれば、前記一部領域を示し、かつ圧縮処理が施されたデジタル画像データと、前記他部領域を示し、かつ圧縮処理が施されたデジタル画像データと、を前記記録媒体の異なる領域に記録することにより分別可能に当該記録媒体に記録しているので、当該記録をデジタル画像データに対する特殊な処理等を伴うことなく実行することができ、本発明を容易に実現することができる。
【００８６】
〔第３の実施の形態〕
本第３の実施の形態では、ワイド部領域の画像の解像度に比較して、他部領域の画像の解像度を低くする場合の形態例について説明する。なお、本第３の実施の形態に係るデジタルカメラの外観上の構成は上記第１の実施の形態に係るデジタルカメラ１０（図１参照。）と同様であるので、ここでの説明は省略し、まず、図８を参照して、本第３の実施の形態に係るデジタルカメラ１０Ｂの電気系の主要構成を説明する。なお、同図における図２と同一の構成要素については図２と同一の符号を付して、その説明を省略する。
【００８７】
同図に示すように、本形態に係るデジタルカメラ１０Ｂは、デジタル画像データに対する解像度の変換を行うと共に、変換後の解像度が所定領域毎に設定可能に構成された解像度変換部５８が新たに追加されている点のみが上記第１の実施の形態に係るデジタルカメラ１０と異なっている。
【００８８】
この解像度変換部５８はシステムバスＢＵＳに接続されており、ＣＰＵ４０は、解像度変換部５８の作動の制御を行うことができる。
【００８９】
次に、本発明に特に関係する、被写体像のアスペクト比として１６：９が設定されている場合におけるデジタルカメラ１０Ｂの被写体像の記録に関する処理動作について、図９を参照しつつ詳細に説明する。なお、図９は、レリーズスイッチ５６Ａが全押し状態とされたときにデジタルカメラ１０ＢのＣＰＵ４０によって実行される画像記録処理プログラムの処理の流れを示すフローチャートであり、図６と同一の処理を行うステップについては図６と同一のステップ番号を付して、その説明を省略する。
【００９０】
同図のステップ２０１では、この時点でメモり４８に格納されているデジタル画像データの他部領域に対応するデータの解像度を所定の解像度（本実施の形態では、当該データによって示される画像の左右方向及び上下方向の２方向について、それまでの２分の１の解像度）とするように解像度変換部５８を制御する。なお、本実施の形態に係る解像度変換部５８では、当該解像度の変換を、他部領域に対応するデータによって示される画像の左右方向及び上下方向の２方向について、隣接する２画素毎に１画素ずつ間引くことによって行う。
【００９１】
そして、次のステップ２０２Ｂにて、上記ステップ２０１の処理によって解像度が低減された他部領域に対応するデータを所定の圧縮形式（ＪＰＥＧ形式）で、通常圧縮率にて圧縮するように圧縮・伸張処理回路５４を制御する。
【００９２】
以上の処理の結果、ＣＣＤ２４による撮像によって得られたデジタル画像データが一例として図１０（Ａ）に示すように２０４８画素×１５３６画素のものである場合、図１０（Ｂ）に示すように、このうちの上下方向中央部に位置される２０４８画素×１１５２画素の領域Ｂが１６：９のアスペクト比とされたワイド部領域として通常圧縮率にて圧縮される圧縮処理が施され、他部領域Ａ及び他部領域Ｃについては、解像度が低減されて、リサイズされた後に通常圧縮率にて圧縮処理が施されることになる。
【００９３】
本画像記録処理プログラムにより、他部領域Ａ及び他部領域Ｃに対する圧縮・伸張処理回路５４による圧縮処理後のデータ量を、解像度を低下させずに圧縮処理する場合に比較して低減することができ、この結果として、ワイド部領域の画像に対する画質の低下を招くことなく、デジタル画像データ全体としてのデータ量を効果的に削減することができる。
【００９４】
次に、ユーザにより再生モードが設定された場合等において、被写体像のアスペクト比として１６：９が設定されている状態で記録されたデジタル画像データを復元する際のデジタルカメラ１０の処理動作について、図１１を参照しつつ詳細に説明する。なお、図１１は、当該デジタル画像データを復元する際にＣＰＵ４０によって実行される画像復元処理プログラムの処理の流れを示すフローチャートである。なお、ここでは、ユーザによって復元すべきデジタル画像データが含まれる電子化ファイル（以下、「処理対象ファイル」という。）が指定されている場合について説明する。
【００９５】
同図のステップ３００では、メモリカード５２にＥｘｉｆフォーマットで記録された処理対象ファイルの主画像領域６０Ｄに記録されているワイド部領域に対応するデジタル画像データを圧縮形式（ＪＰＥＧ形式）に応じた形式で伸張するように圧縮・伸張処理回路５４を制御し、次のステップ３０２では、当該処理対象ファイルのタグ領域６０Ｂに記録されている他部領域に対応するデジタル画像データを上記圧縮形式に応じた形式で伸張するように圧縮・伸張処理回路５４を制御する。
【００９６】
以上の処理により、一例として図１０（Ｂ）に示すように、処理対象ファイルに記録されているワイド部領域Ｂに対応するデジタル画像データが２０４８画素×１１５２画素のもので、他部領域Ａ及び他部領域Ｃに対応する解像度低減後のデジタル画像データが各々１０２４画素×９６画素のものである場合、図１２（Ａ）に示すように、各領域毎に圧縮処理前の画素数とされたデジタル画像データが再現されることになる。
【００９７】
次のステップ３０４では、上記ステップ３００の処理によって伸張処理が施されたワイド部領域に対応するデジタル画像データに対して、解像度を他部領域の解像度に合致させるべく解像度を低減させるように解像度変換部５８を制御する。なお、本実施の形態に係る解像度変換部５８では、当該解像度の低減を、ワイド部領域に対応するデータによって示される画像の左右方向及び上下方向の２方向について、隣接する２画素毎に１画素ずつ間引くことによって行う。これにより、一例として図１２（Ａ）に示すように、ワイド部領域Ｂに対応するデジタル画像データが１０２４画素×５７６画素のものに変換される。
【００９８】
次のステップ３０６では、上記ステップ３０４の処理によって解像度が低減されたワイド部領域のデジタル画像データと、上記ステップ３０２の処理によって伸張された他部領域のデジタル画像データとを結合させ、その後に本画像復元処理プログラムを終了する。
【００９９】
上記ステップ３０６の処理により、一例として図１２（Ｂ）に示すように、ワイド部領域Ｂの上端部に他部領域Ａが結合され、ワイド部領域Ｂの下端部に他部領域Ｃが結合された状態を示すデジタル画像データを得ることができる。
【０１００】
以上詳細に説明したように、本実施の形態によれば、撮像手段（ここでは、ＣＣＤ２４）による撮像によって取得されたデジタル画像データにより示される被写体像における矩形状の一部領域（ここでは、ワイド部領域）を除いた他部領域を示すデジタル画像データに対して解像度を低減させる解像度変換処理を施し、前記一部領域を示すデジタル画像データ及び前記解像度変換処理が施された前記他部領域を示すデジタル画像データに対して所定の圧縮処理を施した後、これらの圧縮処理が施されたデジタル画像データを記録媒体（ここでは、メモリカード５２）に記録しているので、他部領域を示す圧縮処理後のデジタル画像データのデータ量を、解像度を低減させずに圧縮処理する場合に比較して低減することができ、前記一部領域における被写体像に対する画質の低下を抑制しつつ、デジタル画像データ全体としてのデータ量を効果的に削減することができる。
【０１０１】
また、本実施の形態によれば、前記一部領域を示し、かつ圧縮処理が施されたデジタル画像データと、前記他部領域を示し、かつ解像度変換処理が施された後に圧縮処理が施されたデジタル画像データと、を分別可能に前記記録媒体に記録しているので、前記一部領域を示すデジタル画像データ、及び前記他部領域を示すデジタル画像データの何れか一方を選択的に記録媒体から容易に読み出すことができ、当該何れか一方のデジタル画像データを用いた処理や、当該何れか一方のデジタル画像データに対する処理等を容易に行うことができる。
【０１０２】
また、本実施の形態によれば、前記一部領域を示し、かつ圧縮処理が施されたデジタル画像データと、前記他部領域を示し、かつ解像度変換処理が施された後に圧縮処理が施されたデジタル画像データと、を前記記録媒体の異なる領域に記録することにより分別可能に当該記録媒体に記録しているので、当該記録をデジタル画像データに対する特殊な処理等を伴うことなく実行することができ、本発明を容易に実現することができる。
【０１０３】
更に、本実施の形態によれば、前記記録媒体に記録されたデジタル画像データに伸張処理を施し、伸張処理が施された前記一部領域を示すデジタル画像データの解像度を、伸張処理が施された前記他部領域を示すデジタル画像データの解像度と等しくなるように低減させ、伸張処理が施された前記他部領域を示すデジタル画像データと、伸張処理が施された後に解像度が低減された前記一部領域を示すデジタル画像データとを結合して１枚の被写体像を復元しているので、解像度が低減された後に圧縮処理が施された前記他部領域を示すデジタル画像データと、解像度が低減されることなく圧縮処理が施された前記一部領域を示すデジタル画像データとにより、各デジタル画像データ間で画像サイズに矛盾を生じることなく被写体像を復元することができる。
【０１０４】
なお、本第３の実施の形態では、画像復元処理プログラム（図１１参照。）において、ワイド部領域の解像度を低減させることによりワイド部領域と他部領域との解像度を合致させる場合について説明したが、本発明はこれに限定されるものではなく、例えば、他部領域の解像度を増加させることによりワイド部領域と他部領域との解像度を合致させる形態とすることもできる。
【０１０５】
図１３には、この場合の画像復元処理プログラムの一例が示されている。なお、同図における図１１と同一の処理を行うステップには図１１と同一のステップ番号が付してある。
【０１０６】
同図に示す画像復元処理プログラムでは、ステップ３０５にて、ステップ３０２の処理によって伸張処理が施された他部領域に対応するデジタル画像データに対して、解像度をワイド部領域の解像度に合致させるべく解像度を増加させるように解像度変換部５８を制御する。なお、この場合、解像度変換部５８では、当該解像度の増加を、他部領域に対応するデータによって示される画像の左右方向及び上下方向の２方向について、隣接する２画素毎に当該２画素間の１画素を補間により生成することによって行う。これにより、一例として図１４（Ａ）に示すように、他部領域Ａ及び他部領域Ｃに対応するデジタル画像データが１０２４画素×９６画素のものから２０４８画素×１９２画素のものに変換される。
【０１０７】
この結果、次のステップ３０６の処理によって結合されたデジタル画像データは図１４（Ｂ）に示すものとなり、２０４８画素×１５３６画素のデジタル画像データを復元することができる。
【０１０８】
この場合、ワイド部領域に対応するデジタル画像データの解像度を低減させることがないので、本第３の実施の形態に比較して、復元されたデジタル画像データにおけるワイド部領域の画質を向上させることができる。
【０１０９】
また、上記第２、第３の本実施の形態では、他部領域に対応するデジタル画像データをＥｘｉｆフォーマットとされた電子化ファイルのタグ領域に記録する場合について説明したが、本発明はこれに限定されるものではなく、例えば、ワイド部領域に対応するデジタル画像データとは別構成とされた電子化ファイルとして記録する形態とすることもできる。この場合、ワイド部領域に対応する電子化ファイル及び他部領域に対応する電子化ファイルの少なくとも一方に、対応する他方の電子化ファイルを特定するための情報を含めておき、当該情報によって互いに対応する電子化ファイルを特定可能とする必要がある。この場合も、上記第２、第３の実施の形態と同様の効果を奏することができる。
【０１１０】
また、上記各実施の形態では、本発明の一部領域のアスペクト比として１６：９を適用した場合について説明したが、本発明はこれに限定されるものではなく、他のアスペクト比を適用することができることは言うまでもない。この場合も、上記各実施の形態と同様の効果を奏することができる。
【０１１１】
また、上記各実施の形態で説明した各種処理プログラム（図４、図６、図９、図１１、図１３参照。）の処理の流れは一例であり、本発明の主旨を逸脱しない範囲内において適宜変更可能であることは言うまでもない。
【０１１２】
更に、本実施の形態で説明したデジタルカメラ１０の構成（図１、図２、図８参照。）も一例であり、本発明の主旨を逸脱しない範囲内において適宜変更可能であることは言うまでもない。
【図面の簡単な説明】
【０１１３】
【図１】実施の形態に係るデジタルカメラの外観を示す外観図である。
【図２】第１、第２の実施の形態に係るデジタルカメラの電気系の主要構成を示すブロック図である。
【図３】実施の形態に係る電子化ファイル（画像ファイル）の構成を示す模式図である。
【図４】第１の実施の形態に係る画像記録処理プログラムの処理の流れを示すフローチャートである。
【図５】第１の実施の形態に係る画像記録処理プログラムによる処理の説明に供する模式図である。
【図６】第２の実施の形態に係る画像記録処理プログラムの処理の流れを示すフローチャートである。
【図７】第２の実施の形態に係る画像記録処理プログラムによる処理の説明に供する模式図である。
【図８】第３の実施の形態に係るデジタルカメラの電気系の主要構成を示すブロック図である。
【図９】第３の実施の形態に係る画像記録処理プログラムの処理の流れを示すフローチャートである。
【図１０】第３の実施の形態に係る画像記録処理プログラムによる処理の説明に供する模式図である。
【図１１】第３の実施の形態に係る画像復元処理プログラムの処理の流れを示すフローチャートである。
【図１２】第３の実施の形態に係る画像復元処理プログラムによる処理の説明に供する模式図である。
【図１３】第３の実施の形態に係る他の画像復元処理プログラムの処理の流れを示すフローチャートである。
【図１４】第３の実施の形態に係る他の画像復元処理プログラムによる処理の説明に供する模式図である。
【符号の説明】
【０１１４】
１０、１０Ｂ    デジタルカメラ
２４    ＣＣＤ（撮像手段）
３０    デジタル信号処理部（画像処理手段）
４０    ＣＰＵ（記録手段、画像結合手段）
５２    メモリカード（記録媒体）
５４    圧縮・伸張処理回路（圧縮手段、伸張手段）
５８    解像度変換部（解像度変換手段、解像度低減手段、解像度増加手段）
Ａ    他部領域
Ｂ    ワイド部領域（一部領域）
Ｃ    他部領域
【図１】
2005260735.tif 000003
【図２】
2005260735.tif 000004
【図３】
2005260735.tif 000005
【図４】
2005260735.tif 000006
【図５】
2005260735.tif 000007
【図６】
2005260735.tif 000008
【図７】
2005260735.tif 000009
【図８】
2005260735.tif 000010
【図９】
2005260735.tif 000011
【図１０】
2005260735.tif 000012
【図１１】
2005260735.tif 000013
【図１２】
2005260735.tif 000014
【図１３】
2005260735.tif 000015
【図１４】
2005260735.tif 000016